(57)【要約】【課題】  ボックスに入れられた各種の農水産物を長期間新鮮に保存できると共に，段ボール製の犬小屋からの臭いを除去できる機能性段ボールの製造方法を提供すること。【解決手段】  緑泥石，蛇紋石，電気石などの鉱物をそれぞれ粗い粒子に破砕して不純物を除去した後に，乾燥炉に入れて４００〜５００℃に加熱して十分に乾燥させる段階と；乾燥した鉱物をそれぞれ細かく粉砕する段階と；ゲル状のポリゾール９１〜９５重量％，緑泥石粉末２〜４重量％，蛇紋石粉末１〜３重量％，電気石粉末０．８〜１．２重量％，クエン酸０．８〜１．２重量％を水に均一に混合して攪拌して接着剤を得る段階と；接着剤が塗布された上板紙と下板紙との間に段ボール用中芯を介在させ，接合ローラ間を通して板紙と段ボール用中芯を接着する段階と；接着された段ボールを乾燥させる段階と；を含む段ボールの製造方法が提供される。【選択図】図１
2006305995.tif 000002
【特許請求の範囲】
【請求項１】
緑泥石，蛇紋石，電気石の鉱物を採取する段階と；
前記緑泥石，蛇紋石，電気石の鉱物をそれぞれ粗い粒子に破砕して不純物を除去した後に，乾燥炉に入れて４００〜５００℃に加熱し，鉱物に含まれている水分を十分に乾燥させる段階と；
前記乾燥した鉱物をそれぞれ細かく粉砕して，５００メッシュ以上の粒度を有する篩体に通して微細粉末に加工する段階と；
ゲル状のポリゾール９１〜９５重量％，前記緑泥石粉末２〜４重量％，前記蛇紋石粉末１〜３重量％，前記電気石粉末０．８〜１．２重量％，クエン酸０．８〜１．２重量％を用意し，前記緑泥石粉末，前記蛇紋石粉末，前記電気石粉末及び前記クエン酸に水を混合してゲル状にした後，さらに前記ゲル状のポリゾールを均一に混合して接着剤を製造する段階と；
上板紙及び下板紙に前記接着剤をそれぞれ塗布した後，前記上板紙と前記下板紙との間に段ボール用中芯を介在させた状態で接合ローラ間を通過させて，前記上板紙と前記段ボール用中芯，並びに前記下板紙と前記段ボール用中芯とを接着する段階と；
前記接着により構成された段ボールを乾燥させる段階と；
を含むことを特徴とする，段ボールの製造方法。
【請求項２】
前記緑泥石粉末，前記蛇紋石粉末，前記電気石粉末，前記クエン酸をゲル状にするために混合される前記水は，銀棒を低電流における放電により電気分解して超微粒子状の銀を蒸留水溶液に放出させて融解させることにより得られるナノ銀溶液であることを特徴とする，請求項１に記載の段ボールの製造方法。
【請求項３】
請求項１または２に記載の段ボールの製造方法により製造された段ボールにより製作される犬小屋であって：
複数の連結片が嵌合されてなる底板と；
前記底板の前面と背面側にそれぞれ曲げ形成されたフロント板とレア板と；
前記底板の両側面側にそれぞれ曲げ形成された側板と；
を備え，
前記フロント板と前記レア板の上部両側には傾斜面がそれぞれ形成されて上方に向かうにつれ狭くなっており，
前記各側板は，前記フロント板及び前記レア板の前記傾斜面に沿って折り曲げられ，
前記各側板の上部には上板がそれぞれ曲げ形成されており，
一方の上板に結合された取手が他方の上板に穿孔された結合孔を通って突出し，他方の上板に形成された嵌合片が一方の上板に穿孔された嵌合溝に結合されることによって，双方の上板が互いに結合され，
前記フロント板には出入口が形成されていることを特徴とする，段ボール製の犬小屋。
【請求項４】
前記フロント板に形成された前記出入口には，該出入口を開閉するための出入扉が設けられており，
前記出入扉と前記フロント板にそれぞれ結合された雌雄一対の係止具により，出入扉が閉じた状態で固定され，
前記レア板には，ペットが円滑に呼吸できるための通気孔が形成されていることを特徴とする，請求項３に記載の段ボール製の犬小屋。
【発明の詳細な説明】
【技術分野】
【０００１】
本発明は，段ボールの製造方法及び段ボール製の犬小屋に係り，詳しくは，ボックスに入れられた各種の農水産物を長期間新鮮に保存できると共に，段ボール製の犬小屋からの臭いを除去できる機能性段ボールの製造方法及び機能性段ボール製の犬小屋に関する。
【背景技術】
【０００２】
通常，段ボールは，波うち状に形成された段ボール用中芯の両側に板紙を接着剤により貼って緩衝度を高めたものであって，主として物品の包装用ボックスの製作に汎用される。
【０００３】
しかしながら，この包装用ボックスは，段ボールが有する緩衝性によりボックスに保存された物品の損傷を防ぐなど，単純な機能を有するに過ぎず，ボックスに保存された農産物，畜産物，水産物，林産物など各種の物品の新鮮度を長期間保持したり，物品からの刺激臭を中和させて無くしたりするなどの効果は期待し難かった。
【０００４】
さらに，現代には，農産物を栽培するときに害虫や雑草を除去するために，農薬を多量に使用するため，得られた農産物には農薬成分が依然として残留しており，このような残留農薬は人体に悪影響を及ぼす。この理由から，農産物をボックスに入れたときに残留農薬の毒性が自然に中和されて無くなる包装用ボックスが切望されている。
【０００５】
近年，澱粉質糊に，セラミック粉末，炭，ゼオライト，酸化アルミニウム，黄土などの各種の鉱物粉末を加えて，機能性ボックスを製造する技術が提案されている。
【０００６】
ところが，これらの鉱物粉末からは強い吸着力及びマイナスイオンの置換能が期待できないため，ボックスの機能を高めるには，多量の鉱物質粉末が澱粉質糊に混合される必要があり，その結果，糊の接着力が格段に落ちてしまう不具合があった。
【０００７】
ボックスの接着力が落ちると，結局としてボックスの耐久性が高められないため，ボックスに保存された物品を損傷無しに安全に保護する包装用ボックスの役割を正常に果たせなくなる。
【０００８】
そして，ペットを連れて出かける場合に使われる持ち運び式犬小屋は，カバン状の犬小屋にペットを入れるものであって，主としてファブリックやレザーなどの生地を縫製してなる。このため，製造コストが高いだけではなく，ペットが犬小屋に排泄した場合には，犬小屋を洗浄した後に乾燥させる必要性が生じるなどの煩雑さがあった。
【０００９】
さらに，従来の犬小屋からは，ペットやペットの排泄物からの臭いの脱臭効果，あるいは，ペットの毛に寄生する各種の細菌への抗菌及び滅菌効果が期待できなかった。
【発明の開示】
【発明が解決しようとする課題】
【００１０】
そこで，本発明は，上記問題に鑑みてなされたものであり，本発明の目的とするところは，ボックスに入れられた各種の農水産物を長期間新鮮に保存できると共に，段ボール製の犬小屋からの臭いを除去することが可能な，新規かつ改良された機能性段ボールの製造方法，及びこの機能性段ボール製の犬小屋を提供することにある。
【課題を解決するための手段】
【００１１】
上記課題を解決するために，本発明のある観点によれば，段ボールの製造方法が提供さえる。この段ボールの製造方法は，緑泥石，蛇紋石，電気石の鉱物を採取する段階と；緑泥石，蛇紋石，電気石の鉱物をそれぞれ粗い粒子に破砕して不純物を除去した後に，乾燥炉に入れて４００〜５００℃に加熱し，鉱物に含まれている水分を十分に乾燥させる段階と；乾燥した鉱物をそれぞれ細かく粉砕して，５００メッシュ以上の粒度を有する篩体に通して微細粉末に加工する段階と；ゲル状のポリゾール９１〜９５重量％，緑泥石粉末２〜４重量％，蛇紋石粉末１〜３重量％，電気石粉末０．８〜１．２重量％，クエン酸０．８〜１．２重量％を用意し，緑泥石粉末，蛇紋石粉末，電気石粉末及びクエン酸に水を混合してゲル状にした後，さらにゲル状のポリゾールを均一に混合して接着剤を製造する段階と；上板紙及び下板紙に接着剤をそれぞれ塗布した後，上板紙と下板紙との間に段ボール用中芯を介在させた状態で接合ローラ間を通過させて，上板紙と段ボール用中芯，並びに下板紙と段ボール用中芯とを接着する段階と；接着により構成された段ボールを乾燥させる段階と；を含むことを特徴とする。
【００１２】
かかる製造法方法によって製造された機能性段ボールは，緑泥石，蛇紋石及び電気石の鉱物粉末を加えてなる接着剤を使って，段ボール用中芯と上下の板紙とを接着して得られる。このため，上記鉱物が有する強い吸着力，マイナスイオンの置換能及び多量のマイナスイオンの放出効果などにより，ボックスに入れられた各種の農水産物を長期間新鮮に保存できると共に，この段ボール製の犬小屋からの臭いを消臭できる。
【００１３】
また，上記緑泥石粉末，蛇紋石粉末，電気石粉末，クエン酸をゲル状にするために混合される水は，銀棒を低電流における放電により電気分解して超微粒子状の銀を蒸留水溶液に放出させて融解させることにより得られるナノ銀溶液であるようにしてもよい。
【００１４】
また，上記のような段ボールの製造方法により製造された段ボール（１）により製作される犬小屋（１０）が提供される。この犬小屋（１０）は，複数の連結片（１１ａ）が嵌合されてなる底板（１１）と；底板（１１）の前面と背面側にそれぞれ曲げ形成されたフロント板（１２）とレア板（１３）と；底板（１１）の両側面側にそれぞれ曲げ形成された側板（１４）（１５）と；を備える。フロント板（１２）とレア板（１３）の上部両側には傾斜面（１２ａ）（１３ａ）がそれぞれ形成されて上方に向かうにつれ狭くなっており，各側板（１４）（１５）は，フロント板（１２）及びレア板（１３）の傾斜面（１２ａ）（１３ａ）に沿って折り曲げられる。各側板（１４）（１５）の上部には上板（１６）（１７）がそれぞれ曲げ形成されている。一方の上板（１６）に結合された取手（１６ａ）が他方の上板（１７）に穿孔された結合孔（１７ａ）を通って突出し，他方の上板（１７）に形成された嵌合片（１７ｂ）が一方の上板（１６）に穿孔された嵌合溝（１６ｂ）に結合されることによって，双方の上板（１６）（１７）が互いに結合される。また，フロント板（１２）には出入口（１２ｂ）が形成されている。
【００１５】
かかる構成の犬小屋（１０）は，段ボール（１）を使って製造されるために安価であり，外出時または移動時にペットを犬小屋（１０）に入れて簡単に持ち運ぶことができる。さらに，ペットが犬小屋（１０）内で排泄をした時には，使い捨て犬小屋（１０）を捨てれば良いため，従来の犬小屋のようにペットが排泄した場合に犬小屋を洗浄，乾燥する必要性が生じるなどといった煩雑さを解消できる。さらに，この犬小屋（１０）は機能性段ボール１製であるため，上記接着剤（２）に含まれている各種の鉱物とナノ銀成分により，犬小屋（１０）におけるペットの排泄物の臭いを吸収して消臭できる。従って，犬小屋（１０）の持ち運び時における臭いを未然に遮断でき，ペットの毛に寄生する各種の細菌への抗菌及び滅菌効果をも得ることができる。
【００１６】
また，上記フロント板（１２）に形成された出入口（１２ｂ）には，該出入口（１２ｂ）を開閉するための出入扉（１８）が設けられており，出入扉（１８）とフロント板（１２）にそれぞれ結合された雌雄一対の係止具（１８ａ）（１８ｂ）により，出入扉（１８）が閉じた状態で固定されてもよい。さらに，レア板（１３）には，ペットが円滑に呼吸できるための通気孔（１３ｂ）が形成されていてもよい。
【００１７】
なお，本明細書でいう「犬小屋」は，ペット用小屋の意味であり，犬以外の各種のペット（例えば猫，うさぎ，フェレット等）を対象としても勿論よい。
【発明の効果】
【００１８】
以上説明したように本発明によれば，緑泥石，蛇紋石及び電気石の鉱物粉末を加えてなる接着剤を用いて，段ボール用中芯と上下の板紙とを接着して段ボールを製造する。このため，上記鉱物質が有する強い吸着力，マイナスイオンの置換能及び多量のマイナスイオンの放出効果などにより，ボックスに入れられた各種の農水産物を長期間新鮮に保存できると共に，段ボール製の犬小屋からの臭いを除去することができる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
（第１の実施形態）
まず，本発明の第１の実施形態にかかる機能性段ボールの製造方法について，図１の製造工程図を参照して説明する。
【００２１】
まず，自然に天然鉱物として存在する緑泥石，蛇紋石，電気石などの鉱物を採取する（Ｓ１０）。
【００２２】
次いで，採取された鉱物をそれぞれ破砕機に入れて，例えば約３０ｍｍ以下の粒子に破砕した後，粒子を選別して不純物を除去する（Ｓ１２）。そして，この破砕された鉱物を乾燥炉に入れて約４５０℃に加熱することにより，鉱物に含まれている水分を十分に乾燥させる（Ｓ１４）。
【００２３】
上記段階Ｓ１４は，破砕された鉱物粒子を選別して水洗いした後に自然乾燥させる段階をさらに含むことにより，採鉱中に鉱物の表面に付着した異物を完全に除去することが好ましい。
【００２４】
上記乾燥炉は，例えば熱処理用窯であり，その乾燥方法としては，鉱物を入れて乾燥させても構わないが，窯の内部を移動するコンベアに鉱物を載せて約１０〜２０分間移動させることにより，約４５０℃以上に加熱して乾燥させる方法を採用することが，量産に向いているために好ましい。
【００２５】
しかし，本発明は上記乾燥方法に限定されるものではなく，斜めに取り付けられてなる回転炉に鉱物を入れて熱乾燥させる方法も採用可能である。
【００２６】
次いで，上記乾燥させた鉱物をそれぞれ粉砕機に入れて細かく粉砕した後，５００メッシュ以上の粒度を有する篩体に通して微細粉末に加工し（Ｓ１６），その加工結果物をそれぞれ別々の容器に入れる。
【００２７】
ここで，粉砕機としては，カッターが相対向した状態で回転され，段階的に粉砕粒子が小さくなると碾き臼でひいて粉砕する通常の粉砕機を使用できる。
【００２８】
次いで，例えば，緑泥石粉末９００ｇ，蛇紋石粉末６００ｇ，電気石粉末３００ｇ，クエン酸３００ｇを，４，０００ｃｃの水に混合し（Ｓ１８），均一に攪拌してゲル状にした後，ゲル状のポリゾール２７．９ｋｇをさらに攪拌機に入れて上記ゲル状の混合物に均一に混合して，攪拌し（Ｓ２０），接着剤３０．４ｋｇを得た。
【００２９】
ここで，上記攪拌機としては，混合物を均一に配合するために，タンクの内部に取り付けられた攪拌用翼片がモータの動力により徐々に回転する通常の攪拌機を使用できる。
【００３０】
次いで，図２に示すように，段ボールの上板紙１ａと下板紙１ｂに対して，上記製造した接着剤２をそれぞれ塗布した後，上板紙１ａと下板紙１ｂとの間に段ボール用中芯１ｃを介在させ，図３に示すように，これらの上板紙１ａ，段ボール用中芯１ｃ及び下板紙１ｂを，一対の接合ローラ３間を通過させることにより，上板紙１ａと段ボール用中芯１ｃを接着するとともに下板紙１ｂと段ボール用中芯１ｃとを接着した（Ｓ２２）。
【００３１】
次いで，上記相互に接着された上板紙１ａ，段ボール用中芯１ｃ及び下板紙１ｂを乾燥させて，即ち，上記接着により構成された段ボール１を乾燥させて（Ｓ２４），機能性鉱物質入り段ボール１を得た。
【００３２】
ここで，上記板紙の乾燥は，例えば，板紙を搬送させ，ＬＰＧなどのガスを燃焼して得られた火炎を搬送中の板紙に噴射することにより行われるが，本発明は必ずしもこの例に限定されるものではない。
【００３３】
（試験例１）：脱臭効果の測定
上記実施形態にかかる段ボールの製造方法により得られた機能性段ボールを，韓国遠赤外線応用評価研究院に送付して脱臭効果を測定する試験を行った。その試験結果を下記表１に示す。ここで，試験方法としては，機能性段ボールの試料を入れた容器と，当該試料を入れていない容器の内部に，アンモニアガス５００ｐｐｍをそれぞれ注入して，脱臭率を検査するＫＦＩＡ−ＦＩ−１００４試験規格を採用した。
１）試験方法：ＫＦＩＡ−ＦＩ−１００４
２）試料の寸法：１００×１５０ｍｍ
３）試験ガス名：アンモニア
４）ガス濃度の測定：ガス検知管
【００３４】
この試験の結果，ガス検知管を使って３０分置きにガスの濃度を測定したところ，下記表１に示すように，試料入り容器では，最初の３０分後には脱臭率が８８％であり，６０分後には脱臭率が９１％，９０分後には脱臭率が９３％，１２０分後には脱臭率が９４％として現れ，次第に脱臭率（％）が高くなった。そして，約２時間後にはアンモニアガスのほとんどが吸着，除去され，脱臭効率が極めて高いことが確認された。
【００３５】
一方，試料なし容器では，表１から明らかなように，ガス検知管による試料の採取と共に自然に無くなるアンモニアガスの量を除いては，脱臭率（％）がほとんど変化しなかった。
【００３６】
発給番号：ＫＦＩＧ−１７０
依頼人：金炳烈,(株)現代総合印刷
試料名：機能性段ボール（合成鉱物の加工）
受付日：２００５年３月１７日
住所：京畿道華城市麻道面松亭里７６６−３
【００３７】
【表１】
2006305995.tif 000003
【００３８】
（注）表１において，「ブランクの濃度」は，試料なしの容器で測定したアンモニア濃度であり，「資料の濃度」は，試料ありの容器で測定したアンモニア濃度である。
【００３９】
（試験例２）：マイナスイオン放出量の測定試験
上記実施形態にかかる段ボールの製造方法により得られた機能性段ボールを，韓国遠赤外線応用評価研究院に送付して，実内温度２０℃，湿度４０％，大気中のマイナスイオン数１０４／ｃｃの条件下で，マイナスイオンの放出量を測定する試験を行った。その試験結果を下記表２に示す。このとき，測定方法としては，測定対象物から放出されるマイナスイオンを測定して，単位体積当たりのイオン数を計算するＫＦＩＡ−ＦＩ−１０４２試験規格を採用した。
１）試験方法：ＫＦＩＡ−ＦＩ−１０４２
２）試験片：試料用段ボールの寸法１００×１５０ｍｍ
【００４０】
表２に示すように，マイナスイオン数が７９８／ｃｃとして現れることから，大気中のマイナスイオン数である１０４／ｃｃと比べて，約８倍近い量のマイナスイオンを放出することが確認できた。
【００４１】
発給番号：ＫＦＩＭ−２４７
依頼人：金炳烈，（株）現代総合印刷
試料名：機能性段ボール（合成鉱物の加工）
受付日：２００５年３月１７日
住所：京畿道華城市麻道面松亭里７６６−３
【００４２】
【表２】
2006305995.tif 000004
【００４３】
（試験例３）：滅菌効果の測定
上記実施形態にかかる段ボールの製造方法により得られた機能性段ボールを，韓国遠赤外線応用評価研究院に送付して，抗菌効果を測定する試験を行った。その試験結果を下記表３に示す。この試験は，ある容器の内部に，培養させた黄色の葡萄状球菌と上記実施形態により得られた機能性段ボールの試料とを一緒に入れ，一方，他の容器の内部には，黄色の葡萄状球菌のみを入れ，８時間後に対照試料と試験試料の菌数を比較して，黄色の葡萄状球菌の減少率を測定することにより行われた。併せて，このような方法により１８時間培養させて得られた肺炎菌の減少率をも測定した。
【００４４】
１）試験方法：ＫＳ  Ｋ  ０６９３−２００１
２）使用菌株
Ｓｔａｐｈｙｌｏｃｏｃｃｕｓ  ａｕｒｅｕｓ  ＡＴＣＣ  ６５３８
Ｋｌｅｂｓｉｅｌｌａ  ｐｎｅｕｍｏｎｉａｅ  ＡＴＣＣ  ４３５２
３）非イオン界面活性剤：接種菌に０．０５％の非イオン界面活性剤を使用（Ｓｎｏｇｅｎ）
４）標準布の使用：ＫＳ  Ｋ  ０９０５染色堅牢度用入り白布：Ｃｏｔｔｏｎ
【００４５】
発給番号：ＫＦＩＡ−１６６
依頼人：金炳烈，（株）現代総合印刷
試料名：機能性段ボール（合成鉱物の加工）
受付日：２００５年３月１７日
住所：京畿道華城市麻道面松亭里７６６−３
【００４６】
【表３】
2006305995.tif 000005
【００４７】
表３の静菌減少率（％）の欄に示すように，１８時間後に菌の濃度を測定したところ，試料入り黄色の葡萄状球菌の培養容器からは９９．９％の静菌減少率が見られ，試料入り肺炎菌の培養容器からも９９．９％の静菌減少率が見られた。これによれば，本実施形態にかかる機能性段ボールでは，滅菌及び抗菌効率が極めて高いことが分かった。一方，試料無し容器では，静菌の数が変化しなかった。
【００４８】
以上のような本実施形態にかかる段ボールの製造方法により得られた機能性段ボールを用いて包装用ボックスを製作した場合，この包装用ボックスは，緑泥石，蛇紋石，電気石など自然の状態でマイナスイオンを放出する天然鉱物質が混合されている。このため，鉱物質の微粒物質の吸着効果により農水産物に残留する農薬の毒性を吸着して中和することができる。また，水産物などから発せられる刺激性臭いを吸着，除去して，ボックスの搬送時における臭いの発生を未然に遮断できる。さらに，粘土鉱物が有する強いマイナスイオンの置換能により，農水産物中で酸化反応を引き起こす水酸基（ＯＨ−）イオンを強力に還元できる。これらの理由から，本実施形態にかかる機能性段ボールは，農水産物を長期間保存しても，腐食を防止して高い鮮度を保持できるなどのメリットがある。よって，農水産物など各種の生物を包装するボックスとして積極的に活用でき，包装ボックスの対外競争力を最大限に高められる。
【００４９】
一方，本実施形態にかかる製造方法で最も多量に含まれる重要な物質の一つである緑泥石と蛇紋石は，自然の状態でマイナスイオンを放射するだけではなく，回転電子波（π−ｒａｙ）を発することが知られている。この電子波は，自由空間中を光速にて前進するものであって，波長の周期を有しており，そのエネルギーは周波数に比例している｛Ｅ＝ｈｖ（Ｅ：エネルギー，ｈ：フランク定数，ｖ：周波数）｝。
【００５０】
このうち，回転電子波は，２つの交番電荷が空間中を動いているときにクーロンの法則により斥力や引力が互いに働く原子間の結合のうち結晶化π結合により電子波が回転電子波に変わるとき強い吸引力が生じることを用いて，人体内の不要な性体エネルギーを吸収して，ガンの治療及び成長速度を遅らせる技術があり，また，この結合により発せられる回転電子波の波長帯が有害菌を滅菌する能力があると知られている（亜州大学機械及び産業工学部  呉興國教授の“回転電子波理論”から抜粋）。
【００５１】
このため，ボックスに保存された生物の成長速度を遅らせることにより，長期間流通させても新鮮度が保持でき，滅菌効果及び微粒物質の吸着効果などにより，臭いの遮断及び腐食防止が図れる。
【００５２】
一方，本実施形態にかかる製造方法に使われる鉱物は，下記の如き特性を有する。
【００５３】
上記緑泥石は，単斜晶系に属する鉱物であって，主成分はアルミニウム，鉄，マグネシウムの含水ケイ酸塩（Ｍｇ，Ｆｅ，Ａｌ）１２（Ｓｉ，Ａｌ）８Ｏ２０（ＯＨ）１６である。
【００５４】
この緑泥石は，各種の堆積岩や低温の変性岩，熱水により変質された火成岩などから広く発見されるが，主として雲母，角閃石，輝石など鉄苦土鉱物が変質されてなるものである。これらは，自然の状態でマイナスイオンを放出し，毒性物質を吸着して分解する性質を有し，これにより，残留農薬の毒性の除去及び刺激性の臭いを吸着・除去することができる。
【００５５】
Ｍｇ３Ｓｉ２Ｏ５（ＯＨ）４で表わされる上記蛇紋石は，単斜晶系に属する含水マグネシウム層状ケイ酸塩鉱物であって，韓国内には蛇紋岩をなして広く分布されており，苦土を多量含む鉱物から変性してその仮晶をなす。
【００５６】
また，この蛇紋石は，自然の状態でマイナスイオン及び回転電子波を放射して，微粒物質を吸着したり，相異なる粒度の微粒物質を分離したりする特性を有し，これにより，残留農薬の毒性を吸着して中和させ，結果として刺激性臭いを除去することができる。
【００５７】
上記電気石はトルマリンとも呼ばれる六方晶系に属する鉱物であって，化学成分は鉄，マグネシウム，アルカリ金属などとアルミニウムとの複雑なホウケイ酸塩である。これは，摩擦により電気が発生し，加熱すれば両端が正（＋）と負（−）に帯電されるために電気石と呼ばれる。
【００５８】
この電気石も自然の状態でマイナスイオン及び遠赤外線を放出することにより，毒性の中和及び脱臭効果を有する。
【００５９】
上記ポリゾールは，紙類の接着に用いられる接着剤であって，エチレンビニールアセテート（ＥＶＡ）単独またはアクリルＥＶＡ樹脂間の共重合体よりなる。このポリゾールは，強い接着力により鉱物粉末によって接着性が弱まるなどの不具合を効率よく防止できるとともに，接着剤の接着強度を高められる。つまり，板紙１ａ，１ｂと段ボール用中芯１ｃを堅固に接着することにより，ボックスの全体的な耐久性を高めると共に，ボックスに保存された物品を損傷無しに安全に保護できる。従って，機能性ボックスが有する従来の諸問題を完全に解消して，高品質の機能性ボックスを提供することができる。
【００６０】
化学式Ｃ６Ｈ８Ｏ７で表わされる上記クエン酸は，ヒドロキシ基を有する多塩基カルボン酸の一種であって，大体植物の種や果汁中にガラス状の酸として含まれている。
【００６１】
また，クエン酸は化学的な有機酸であり，食品原料の異常発酵からの有害な生成物と反応して体外に排泄する解毒作用をするため，ボックスに入れられた農水産物の腐食を防止できるだけではなく，各種の成分の有機結合を堅固にして，接着剤の全体的な接着力を高められる。
【００６２】
一方，上記緑泥石粉末，蛇紋石粉末，電気石粉末，クエン酸をゲル状にするために入れられる水としては，銀棒を低電流における放電により電気分解して超微粒子状の銀を蒸留水溶液に放出させて融解させることにより得られるナノ銀溶液を使用することができる。
【００６３】
上記ナノ銀溶液は，下記の方法により得られる。つまり，純銀（純度９９．９９％）よりなる銀棒８０ｇを，４，０００ｃｃの蒸留水溶液に入れ，約８℃の低温で１０Ｖ以下の低電流を加えて約２０時間電気分解を行えば，銀棒から超微粒子状の銀が蒸留水溶液に放出されながら融解され，銀の濃度が２，０００ｐｐｍを有するナノ銀溶液が得られる。
【００６４】
本実施形態では，上記ナノ銀溶液を得るために，図４に示すように，蒸留水溶液２１が入れられた容器２０の内部に，２本の銀棒２２を配置し，銀棒２２の上部にはそれぞれ負極（−）と正極（＋）の電極（２３）を接続させた後に，直流電源を加えることにより，低電流による電気分解を行った。
【００６５】
上記接着剤に含まれているナノ銀成分の強い滅菌力と抗菌力により，有害細菌及びカビの繁殖を抑えられると共に，滅菌処理を施すことができる。このため，ボックスに入れられた各種の農水産物に寄生する各種の細菌に対する抗菌及び滅菌効果を得ることができる。
【００６６】
特に，銀成分は，かつて抗菌力と滅菌力が認められるものである。本実施形態にかかる機能性段ボールは，この銀成分を含んでいるため，時間が経つと抗菌力が弱まってしまうような持続性に乏しい通常の有機及び無機系の抗菌剤と比べて，長期間経過しても抗菌力と滅菌力が低下することなく，持続的に保持され，効果的な抗菌作用が得られる。
【００６７】
ところで，図５〜図７に示すように，本実施形態にかかる機能性段ボール１を用いて犬小屋１０を作製することもできる。
【００６８】
すなわち，本実施形態にかかる機能性段ボール１製の犬小屋１０は，図５〜図７に示すように，複数の連結片１１ａが嵌合されてなる底板１１の前面側と背面側には，フロント板１２とレア板１３がそれぞれ曲げ形成されている。このフロント板１２とレア板１３の上部両側には傾斜面１２ａ，１３ａがそれぞれ形成されており，フロント板１２とレア板１３の上部は上方に向かうにつれて狭くなっている。また，底板１１の両側から曲げ形成された側板１４，１５は，フロント板１２とレア板１３の傾斜面１２ａ，１３ａに沿って折り曲げられる。この両側板１４，１５の上部には上板１６，１７がそれぞれ曲げ形成されて，一方の上板１６に結合された取手１６ａが他方の上板１７に穿孔された結合孔１７ａを通って突出し，他方の上板１７に形成された嵌合片１７ｂが一方の上板１６に穿孔された狭幅の嵌合溝１６ｂに嵌め込まれて，上板１６，１７が互いに結合される。また，フロント板１２には出入口１２ｂが形成されている。
【００６９】
また，上記フロント板１２に形成された出入口１２ｂには出入扉１８が形成することが好ましい。これにより，出入扉１８によって出入口１２ｂが開閉可能になり，出入扉１８とフロント板１２にそれぞれ結合された雌雄一対の係止具１８ａ，１８ｂにより出入扉１８を閉じた状態で固定することができる。
【００７０】
これにより，犬小屋１０を持ち運ぶとき，出入口１２ｂが出入扉１８により閉じた状態でロックできるので，ペットが出入口１２ｂから逃げ出すことを効果的に防止できる。また，例えばレア板１３には通気孔１３ｂが貫通形成されるため，ペットが円滑に呼吸可能になる。
【００７１】
なお，上記例では，説明の便宜のために，係止具間の係合方法として，雌雄一対の係止具１８ａ，１８ｂを設けて係止棒が係止孔に嵌め込まれる方法を採用しているが，本発明は必ずしもこれに限定されることはなく，例えば，一対のマジックテープ（登録商標）により係止具１８ａ，１８ｂを形成してもよい。
【００７２】
以上のような構成を有する本実施形態にかかる犬小屋１０は，段ボール１を使って製造されるために安価であり，外出時または移動時にペットを犬小屋１０に入れて簡単に持ち運ぶことができる。さらに，ペットが犬小屋１０内で排泄をした時には，使い捨て犬小屋１０を捨てれば良いため，従来の犬小屋のようにペットが排泄した場合に犬小屋を洗浄，乾燥する必要性が生じるなどといった不都合を完全に解消でき，犬小屋の対外競争力を高められる。
【００７３】
さらに，犬小屋１０は機能性段ボール１製であるため，上記接着剤２に含まれている各種の鉱物とナノ銀成分により，犬小屋１０におけるペットの排泄物の臭いを吸収して消臭できる。この理由から，犬小屋１０の持ち運び時における臭いを未然に遮断でき，ペットの毛に寄生する各種の細菌への抗菌及び滅菌効果をも得ることができる。
【００７４】
以上，本実施形態にかかる機能性段ボールと，この機能性段ボール製の犬小屋について説明した。上記機能性段ボール製の包装用ボックスは，緑泥石，蛇紋石及び電気石など，強い吸着力，マイナスイオンの置換能を有し，自然の状態でマイナスイオンを放出する天然鉱物質が混合されてなる。このため，鉱物質の微粒物質の吸着効果により農水産物に残留する農薬の毒性を吸着して中和することができる。また，水産物などから発せられる刺激臭を吸着，除去して，ボックスの搬送時における臭いの発生を未然に遮断できる。さらに，粘土鉱物が有する強いマイナスイオンの置換能により，農水産物中で酸化反応を引き起こす水酸基（ＯＨ−）イオンを強力に還元できる。これらのメリットから，農水産物を長期間保存しても腐食を防止して高い鮮度を保持でき，農水産物など各種の生物を包装するボックスとして積極的に活用でき，包装ボックスの対外競争力を最大限に高められる。
【００７５】
また，緑泥石，蛇紋石及び電気石などは，吸着力，マイナスイオンの置換能及び多量のマイナスイオンの放出効果に優れるための，接着剤中に比較的少量添加すれば，その効果を発揮する。従って，接着剤中に混合する鉱物質粉末の量が少なくて済むので，接着剤の接着力を低下させてしまうことがなく，ボックスの耐久性を向上できる。
【００７６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００７７】
【図１】本発明の第１の実施形態にかかる段ボールの製造方法を工程手順別に示す製造工程図である。
【図２】同実施形態にかかる段ボールの製作工程を例示する断面図である。
【図３】同実施形態にかかる段ボールの製作工程を例示する断面図である。
【図４】同実施形態にかかるナノ銀溶液を得るための電気分解装置を示す断面図である。
【図５】同実施形態にかかる機能性段ボール製の犬小屋を示す斜視図である。
【図６】同実施形態にかかる犬小屋において，出入扉が開かれた状態を例示する斜視図である。
【図７】同実施形態にかかる犬小屋において，出入扉と上板が開かれた状態を例示する斜視図である。
【符号の説明】
【００７８】
１      段ボール
１ａ    上板紙
１ｂ    下板紙
１ｃ    段ボール用中芯
２      接着剤
３      接合ローラ
１０    犬小屋
１１    底板
１１ａ  連結片
１２    フロント板
１２ａ，１３ａ    傾斜面
１２ｂ  出入口
１３    レア板
１３ｂ  通気孔
１４，１５    側板
１６，１７    上板
１６ａ  取手
１６ｂ  嵌合溝
１７ａ  結合孔
１７ｂ  嵌合片
１８    出入扉
１８ａ，１８ｂ    係止具
２０    容器
２１    蒸留水溶液
２２    銀棒
２３    電極
【図１】
2006305995.tif 000006
【図２】
2006305995.tif 000007
【図３】
2006305995.tif 000008
【図４】
2006305995.tif 000009
【図５】
2006305995.tif 000010
【図６】
2006305995.tif 000011
【図７】
2006305995.tif 000012